(57)【要約】【課題】従来のペット用鳥籠内の糞尿等の汚物処理を簡便にする。【解決手段】ペット用の鳥籠であって、小鳥類のペットを出し入れする開閉口の上面に鳥籠内遮弊板を出し入れする挿入部を有する鳥籠本体と、箱体の底部に前記鳥籠内遮弊板を収納する遮弊板収納部を設けかつ四隅に係止具を付設してなる鳥籠本体用のフレーム基台と、薄状の単板の四隅に係止具を付設してなる鳥籠内遮弊板と、から構成してなるペット用鳥籠糞尿処理方法と、その使用鳥籠の提供。【選択図】　図１
2004121010.tif 000002
【特許請求の範囲】
【請求項１】
鳥籠本体部分と鳥籠基台部分との分離を可能にしかつ鳥籠本体内を遮弊し、該鳥籠本体内に小鳥類ペットを入れたままの状態で鳥籠基台上の鳥籠網目及び鳥籠基台面に付着している糞尿等の汚物洗浄を可能にすることを特徴とするペット用鳥籠糞尿処理方法。
【請求項２】
前項のペット用鳥籠糞尿処理方法において、鳥籠本体の底部に形成されている鳥籠本体の底網目部分の上面及び下面から注水してブラシにて洗浄し、かつ鳥籠基台部分を鳥籠本体から取りはずして鳥籠基台部分の底面も同時に洗浄を可能とした請求項１記載のペット用鳥籠糞尿処理方法。
【請求項３】
ペット用の鳥籠であって、小鳥類のペットを出し入れする開閉口の上面に鳥籠内遮弊板を出し入れする挿入部を有する鳥籠本体と、箱体の底部に前記鳥籠内遮弊板を収納する遮弊板収納部を設けかつ四隅に係止具を付設してなる鳥籠本体用のフレーム基台と、薄状の単板の四隅に係止具を付設してなる鳥籠内遮弊板と、から構成してなるペット用鳥籠糞尿処理鳥籠
【請求項４】
請求項３記載のペット用鳥籠糞尿処理鳥籠において、フレーム基台の遮弊板収納部に収納されている鳥籠内遮弊板を引き抜いて鳥籠本体の遮弊板挿入部に差し込みかつ小鳥類のペットを鳥籠内遮弊板上に収納し、一方フレーム基台の係止具を鳥籠網目からはずしかつ鳥籠本体からフレーム基台の取りはずしを可能とする請求項３記載のペット用鳥籠糞尿処理鳥籠。
【発明の詳細な説明】
【０００１】
【発明に属する技術分野】
本発明はペット用小鳥類の鳥籠に関するが、詳しくはペット用鳥籠糞尿処理方法とその使用鳥籠に関するものである。
【０００２】
【従来の技術】
従来から一般的に使用されているペット用小鳥類の鳥籠は、鳥籠の本体部分と基台部分とが分離されないように一体又は組立方式により成型されている。例えば、図５に示すように鳥籠本体２０は小鳥Ｂや餌・水等を出し入れする開閉口２２を有する鳥籠網材２１と、その鳥籠網材２１の底部に有する基台部２３とから構成されている。このように従来の鳥籠は構成されているので、鳥籠基台２３上の糞尿等の汚物を処理する場合は、新聞紙Ｒなどの吸水材を敷設して１週間から１０日位ごとに取り替えていた。その際、敷設されている新聞紙Ｒなどの吸水材を出し入れする場合は、小鳥などを出し入れする開閉口２２を使用していた。
【０００３】
【発明が解決しようとする課題】
このような従来の鳥籠では、鳥籠の基台部分にたまった糞尿等の汚物を処理する場合はいちいちペット用の小鳥類を鳥籠の外に出して別の収納容器などに収納しなければならず、しかも基台部分の新聞紙や吸水材上にたまっている糞尿などの汚物も開閉口から取り出さなければならなかった。このような従来鳥籠の不便さを解決しようとするところに本発明が解決しようとする課題を有する。
【０００４】
【課題を解決するための手段】
本発明は上記の如き課題を解決するために開発したものであって、鳥籠本体部分と鳥籠基台部分との分離を可能にしかつ鳥籠本体内を遮弊し、該鳥籠内本体に小鳥類ペットを入れたままの状態で鳥籠基台上の鳥籠網目及び鳥籠基台面に付着している糞尿等の汚物洗浄を可能にすることを特徴とするペット用鳥籠糞尿処理方法の提供にあり、また前記のペット用鳥籠糞尿処理方法において鳥籠本体の底部に形成されている鳥籠本体の底網目部分の上面及び下面から注水してブラシにて洗浄しかつ鳥籠基台部分を鳥籠本体から取りはずして鳥籠基台部分の底面も同時に洗浄を可能としたペット用鳥籠糞尿処理方法の提供にあり、更に前記ペット用の鳥籠であって小鳥類のペットを出し入れする開閉口の上面に鳥籠内遮弊板を出し入する挿入部を有する鳥籠本体と箱体の底部に前記鳥籠内遮弊板を収納する遮弊板収納部を設けかつ四隅に係止具を付設してなる鳥籠本体用のフレーム基台と薄状の単板の四隅に係止具を付設してなる鳥籠内遮弊板とから構成してなるペット用鳥籠糞尿処理鳥籠の提供にあり、また前記のペット用鳥籠糞尿処理鳥籠においてフレーム基台の遮弊板収納部に収納されている鳥籠内遮弊板を引き抜いて鳥籠本体の遮弊板挿入部に差し込みかつ小鳥類のペットを鳥籠内遮弊板上に収納し一方フレーム基台の係止具を鳥籠網目からはずしかつ鳥籠本体からフレーム基台の取りはずしを可能とするペット用鳥籠糞尿処理鳥籠の提供にある。
【０００５】
【発明の実施の形態】
本発明の実施形態は、鳥籠本体部分と鳥籠基台部分との分離を可能にしかつ鳥籠本体内を遮弊し該鳥籠本体内に小鳥類ペットを入れたままの状態で鳥籠基台上の鳥籠網目及び鳥籠基台面に付着している糞尿等の汚物洗浄を可能にすることを特徴とするペット用鳥籠糞尿処理方法であり、また前記のペット用鳥籠糞尿処理方法において鳥籠本体の底部に形成されている鳥籠本体の底網目部分の上面及び下面から注水してブラシにて洗浄しかつ鳥籠基台部分を鳥籠本体から取りはずして鳥籠基台部分の底面も同時に洗浄を可能としたペット用鳥籠糞尿処理方法であるから、従来不便であった鳥籠内の糞尿処理を簡便に処理することができる。
【０００６】
また、本発明の実施形態はペット用の鳥籠であって小鳥類のペットを出し入れする開閉口の上面に鳥籠内遮弊板を出し入する挿入部を有する鳥籠本体と箱体の底部に前記鳥籠内遮弊板を収納する遮弊板収納部を設けかつ四隅に係止具を付設してなる鳥籠本体用のフレーム基台と薄状の単板の四隅に係止具を付設してなる鳥籠内遮弊板とから構成してなるペット用鳥籠糞尿処理鳥籠であり、また前記のペット用鳥籠糞尿処理鳥籠においてフレーム基台の遮弊板収納部に収納されている鳥籠内遮弊板を引き抜いて鳥籠本体の遮弊板挿入部に差し込みかつ小鳥類のペットを鳥籠内遮弊板上に収納し一方フレーム基台の係止具を鳥籠網目からはずしかつ鳥籠本体からフレーム基台の取りはずしを可能とするペット用鳥籠糞尿処理鳥籠であるから、従来のようにいちいち鳥籠本体の開閉口から小鳥・餌・水・新聞紙・吸水材などを外に取り出さずに処理することができる。
【０００７】
【実施例】
以下、図面に従って本発明のペット用鳥籠とその糞尿処理方法について説明する。
【０００８】
図１と図２は、本発明のペット用鳥籠糞尿処理に使用される鳥籠を示したものであって、１はその鳥籠本体である。この鳥籠本体１は、格子状又は網状に形成されている鳥籠網材２と底網部５の下に形成されているフレーム基台７とによって構成されている。鳥籠網材２には、小鳥や餌・水等の容器Ｄ又は吸水材Ａなどを出し入れする開閉口３と、鳥籠本体１内を遮弊する鳥籠内遮弊１０を出し入れする遮弊板挿入部４とが形成されている。また、フレーム基台７は鳥籠本体１と分離を可能にしかつ着脱を自在にするための係止具９、９、９、９が付設されているとともに、鳥籠内遮弊板１０を出し入れする遮弊板状収納部８が形成されている。すなわち、本発明の鳥籠は鳥籠本体１とフレーム基台７と鳥籠内遮弊板１０との３つが分離されており、鳥籠内遮弊板１０はフレーム基台７の遮弊板収納部８に装着されている。一方、鳥籠本体１はフレーム基台７の係止具９、９、９、９を介してフレーム基台７に着脱自在に取り付けられている。なお、６は鳥籠本体１を吊り下げる吊下具であり、１１は鳥籠内遮弊板に付設されている係止具である。この係止具１１、１１、１１、１１は、鳥籠本体１の遮弊板挿入部４に鳥籠内遮弊板１０を差し込んだときに鳥籠網材２の四隅にひっかけるために設けたものである。
【０００９】
図３と図４は、本発明からなる鳥籠の使用方法を示したものである。まず、図１の状態で鳥籠の底部にたまっている糞尿等の汚物を処理する場合は、フレーム基台７の遮弊板収納部８から鳥籠内遮弊板１０を引き出して鳥籠本体１の遮弊板挿入部４に差し込み係止具１１、１１、１１、１１を鳥籠網材２の四隅に引っかけて鳥籠本体１内を２つに遮弊分離する。その際、小鳥Ｂは鳥籠内遮弊板１０より上方部に収納させることが条件となる。また、鳥籠本体１内に配設されている小鳥Ｂの止木Ｃや餌などを入れる容器Ｄも鳥籠内遮弊板１０の上方部に付設しておくことも条件となる。このように鳥籠本体１内を２つに遮弊したならば、フレーム基台７の係止具９、９、９、９をはずし鳥籠本体１からフレーム基台７を取りはずして吸水材Ａなどを取り除き、ついで水道などの水道ホースＳの水Ｔを鳥籠本体１に形成されている鳥籠本体１の底網部５の上面又は下面からかけながらブラシＷなどで小鳥糞尿等の汚物Ｐ洗浄する。その際、底網部５の上方部から汚物Ｐを洗浄する場合は、鳥籠本体１の開閉部３から水道ホースＳとブラシＷを差し込むことになる。また、フレーム基台７内にたまった汚物Ｐを洗浄する場合には、風呂場などに持ち込んで洗浄することも可能である。なお、フレーム基台７を洗浄する間は必要に応じてフレーム基台を取りはずしたまま鳥籠本体１をベランダや家外に吊り下げることも可能である。
【００１０】
このようにして、鳥籠本体１の底網部５とフレーム基台７が洗浄されたならば、フレーム基台７上に吸水材Ａを敷設しするとともに鳥籠本体１にフレーム基台７を係止具９、９、９、９にて元の状態にセットする。ついで、鳥籠内遮弊板１０の係止具１１、１１、１１、１１をはずし遮弊板挿入部４から鳥籠内遮弊板１０を鳥籠本体１から取り出してフレーム基台７の遮弊板収納部８に収納する。そうすれば、鳥籠本体１は洗浄する前の状態に戻すことができるので小鳥Ａも元の状態に戻すことができる。なお、本実施例ではペット用の鳥籠に限定して説明したが、小鳥以外のモルモットなどの動物やカブト虫・トカゲなどのペットにも使用することができる。
【００１１】
【発明の効果】
本発明は、鳥籠本体部分と鳥籠基台部分との分離を可能にしかつ鳥籠本体内を遮弊し該鳥籠本体内に小鳥類ペットを入れたままの状態で鳥籠基台上の鳥籠網目及び鳥籠基台面に付着している糞尿等の汚物洗浄を可能にすることを特徴とするペット用鳥籠糞尿処理方法であり、また前記のペット用鳥籠糞尿処理方法において鳥籠本体の底部に形成されている鳥籠本体の底網目部分の上面及び下面から注水してブラシにて洗浄しかつ鳥籠基台部分を鳥籠本体から取りはずして鳥籠基台部分の底面も同時に洗浄を可能としたペット用鳥籠糞尿処理方法である。
【００１２】
また本発明は、ペット用の鳥籠であって小鳥類のペットを出し入れする開閉口の上面に鳥籠内遮弊板を出し入れする挿入部を有する鳥籠本体と箱体の底部に前記鳥籠内遮弊板を収納する遮弊板収納部を設けかつ四隅に係止具を付設してなる鳥籠本体用のフレーム基台と薄状の単板の四隅に係止具を付設してなる鳥籠内遮弊板とから構成してなるペット用鳥籠糞尿処理鳥籠であり、また前記のペット用鳥籠糞尿処理鳥籠においてフレーム基台の遮弊板収納部に収納されている鳥籠内遮弊板を引き抜いて鳥籠本体の遮弊板挿入部に差し込みかつ小鳥類のペットを鳥籠内遮弊板上に収納し一方フレーム基台の係止具を鳥籠網目からはずしかつ鳥籠本体からフレーム基台の取りはずしを可能とするペット用鳥籠糞尿処理鳥籠であるから、従来の鳥籠よりも次のような多くの効果を有する。
ア、本発明の鳥籠は鳥籠本体の部分と鳥籠本体底部の基台部分とが完全に分離でき、しかも鳥籠本体を２つに遮弊分離することができるので籠内の小鳥や各種容器などを籠外に取り出すことなく、籠内の底部にたまっている糞尿等の汚物
を簡単容易に洗浄することができる。
イ、また、本発明の鳥籠は本体・基台・遮弊板の３つの部品が、完全に分離されているので各部品の取り替えが自在となる。従って、従来の鳥籠のように一体成型されている鳥籠本体では１ケ所の破損でも鳥籠の全部を取り替えなければならず経済面においても問題があるが、本発明では破損した部品を自在に取り
替えることができるので経済性にも富んでいる。
ウ、更に本発明の鳥籠による糞尿処理方法によれば、すべてワンタッチで簡単に各部品を着脱でき、しかも子供や老人でも手軽に操作して洗浄することができ
るので従来の鳥籠よりも洗浄が簡便である。
【図面の簡単な説明】
【図１】本発明の鳥籠を示した切欠部を有する全体斜視図。
【図２】図１に示した本発明籠の組立分解図。
【図３】本発明からなる鳥籠の使用状態を示した説明概要図。
【図４】本発明からなる鳥籠の使用状態を示した説明概要図。
【図５】従来の鳥籠を示した切欠部を有する全体斜視図。
【符号の説明】
１　鳥籠本体　　　　　　　　　　　　２　鳥籠網材
３　開閉口　　　　　　　　　　　　　４　遮弊板挿入部
５　底網部　　　　　　　　　　　　　６　吊下具
７　フレーム基台　　　　　　　　　　８　遮弊板収納部
９　係止具　　　　　　　　　　　　　１０　鳥籠内遮弊板
１１　係止具　　　　　　　　　　　　２０　鳥籠本体
２１　鳥籠網材　　　　　　　　　　　２２　開閉口
２３　鳥籠基台
Ａ　吸水材　　　　　　　　　　　　　Ｂ　小鳥
Ｃ　止木　　　　　　　　　　　　　　Ｄ　容器
Ｓ　水道ホース　　　　　　　　　　　Ｗ　ブラシ
Ｔ　水　　　　　　　　　　　　　　　Ｒ　新聞紙
Ｐ　汚物
【図１】
2004121010.tif 000003
【図２】
2004121010.tif 000004
【図３】
2004121010.tif 000005
【図４】
2004121010.tif 000006
【図５】
2004121010.tif 000007